【事件の表示】
　特願２０１５−５１３２２９「プリントヘッドの制御」拒絶査定不服審判事件〔平成２５年１１月２８日国際公開、ＷＯ２０１３／１７５０２４、平成２７年　９月１７日国内公表、特表２０１５−５２７２１３〕について、次のとおり審決する。
【結　論】
　本件審判の請求は、成り立たない。
【理　由】
第１　手続の経緯
　本件出願は、２０１３年６月２７日の国際出願であって、平成２８年６月２０日付けで手続補正書が提出され、平成２９年５月１２日付けで拒絶理由が通知され、同年１１月２４日付けで意見書及び手続補正書が提出され、平成３０年４月１６日付けで拒絶査定がなされ（同査定の謄本の送達日　同月２４日）、これに対し同年８月２４日付けで拒絶査定に対する審判請求及びこれと同時にする手続補正がなされ、さらに、当審において同年１１月２０日付けで拒絶理由が通知され、平成３１年２月２７日付けで意見書及び手続補正書が提出されたものである。
第２　本件出願の発明
　本件出願の請求項１ないし１９に係る発明は、上記の平成３１年２月２７日付け手続補正書によって補正された特許請求の範囲の記載からみて、その特許請求の範囲の請求項１ないし１９に記載されたとおりのものと認められるところ、そのうち請求項１に係る発明（以下「本願発明」という。）は次のとおりのものである。
「【請求項１】
　複数の重なり合うプリントヘッド（３００Ａ、３００Ｂ）、重なり合う位置に割り送りされる１つのプリントヘッドまたは重なり合う位置に割り送りされる複数のプリントヘッドを用いて印刷するための、１列に多くのピクセルを有する二次元ビットマップ化された画像を印刷する方法であって、そのプリントヘッドまたはそれぞれのプリントヘッドは、放出チャンネル（３０１）の列を有し、
　それぞれの放出チャンネルは、関連する放出電極（７）を有し、複数の重なり合うプリントヘッド、重なり合う位置に割り送りされる１つのプリントヘッドまたは重なり合う位置に割り送りされる複数のプリントヘッドの選択された放出チャンネルから印刷液滴として放出されるいくつかの所定容積のうちの１つの容積である帯電した粒状物の濃縮部が生じるように、この電極に対し、使用時に、印刷流体の本体内に作られる粒状物の濃縮部を生じるのに十分な電圧が加えられ、
　それぞれの画像ピクセルのビット値によって決定されるようなそれぞれの所定の振幅および持続時間の電圧パルスが、選択された放出チャンネルの電極に加えられ、
　それぞれの画像の列について、重なり合う放出チャンネル（３０１）によって印刷されるピクセルを作成するために、複数の重なり合うプリントヘッド、重なり合う位置に割り送りされる１つのプリントヘッドまたは重なり合う位置に割り送りされる複数のプリントヘッドに加えられる電圧パルスの値が、プリントヘッド（３００Ａ、３００Ｂ）の重なり合う領域内のピクセルの位置に依存して、また、ピクセルの所定の容積の大きさに依存して、それぞれのピクセルのための放出体積を可変的に調整可能となるように、可変的に調整され、
　それぞれの重なり合うプリントヘッドまたは重なり合う位置に割り送りされる１または複数のプリントヘッドは、プリントヘッドの重なり合う領域におけるそれぞれの非ブランクピクセルへの寄与を、１または複数のプリントヘッドの重なり合う領域に印刷されるピクセルの所定の容積の大きさおよび１または複数のプリントヘッドの重なり合う領域内のそれぞれの非ブランクピクセルの位置の両方に依存している所定の非線形フェーディング関数に基づいて、１回の放出で印刷する、
方法。」
第３　当審で通知した拒絶理由の概要
　当審において平成３０年１１月２０日付けで通知した拒絶理由（以下「当審拒絶理由」という。）の概要は次のとおりである。
１．（サポート要件）この出願は、特許請求の範囲の記載が下記の点で、特許法第３６条第６項第１号に規定する要件を満たしていない
２．（明確性）この出願は、特許請求の範囲の記載が下記の点で、特許法第３６条第６項第２号に規定する要件を満たしていない。
３．（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　記　　　（引用文献等については引用文献等一覧参照）
●理由１（サポート要件）について
・請求項　１ないし１９
（１）（略）
（２）請求項１及び１１の「それぞれの重なり合うプリントヘッドまたは重なり合う位置に割り送りされる１または複数のプリントヘッドは、プリントヘッドの重なり合う領域におけるそれぞれの非ブランクピクセルへの寄与を１回の放出で印刷し、」との記載は、「重なり合う位置に割り送りされる１または複数のプリントヘッド」の場合にも、プリントヘッドの重なり合う領域におけるそれぞれの非ブランクピクセルへの寄与を１回の放出で印刷する、すなわち、重なり合う領域においてプリントヘッドが印刷液滴を１回のみ放出することにより印刷することを意味すると解される。
　一方、明細書の発明の詳細な説明には、段落【００２０】に「プリントヘッドを１回通過させて印刷を行うか、互いに近くに配置された複数の（交互に配置された）プリントヘッドから必要なピクセルの印刷を行うかによらず、または、同じプリントヘッドまたは異なるプリントヘッドの複数回の通過からピクセルを印刷する場合に、同様の課題が生じ、同じ解決策を使用することができる。プリントヘッドは、複数回割り送られてもよい。」と記載されるとともに、段落【００４０】に「変形例（図示せず）において、図５のようなたった１個のモジュールは、印刷物の必要な全体的な幅を生成するために、必要な数の帯状部分の印刷を与えるように、印刷物の移動方向を横切る方向に基材を複数回通過させるように割り送られる。この場合に、隣接する割り送られた位置の重なり合いは、ある帯状部分と別の帯状部分とのステッチングを可能にするために、図５のモジュール間の重なり合いと同様に与えられる。」と記載されている。そして、これらの記載によると、前者の「同じプリントヘッドまたは異なるプリントヘッドの複数回の通過からピクセルを印刷する場合」や後者の「１個のモジュールは……、印刷物の移動方向を横切る方向に基材を複数回通過させるように割り送られる」場合において、重なり合う領域が存在する場合には、プリントヘッド（モジュール）は重なり合う領域を複数回通過するから、通常の印刷の態様を踏まえると、明細書に記載のプリントヘッド（モジュール）は重なり合う領域を通過するごとに印刷液滴を放出するもの、すなわち、重なり合う領域を複数回通過すれば印刷液滴を複数回放出するものと認められる。
　そうすると、明細書には、「重なり合う位置に割り送りされる１または複数のプリントヘッド」が「プリントヘッドの重なり合う領域におけるそれぞれの非ブランクピクセルへの寄与を１回の放出で印刷」することは記載されていない。
　よって、請求項１及び１１に係る発明、並びに、請求項１又は１１を引用する請求項２ないし１０及び１２ないし１９に係る発明は、発明の詳細な説明に記載したものでない。
（３）（略）
●理由２（明確性）について
（略）
●理由３（進歩性）について
（略）
ア．請求項１
（略）
　そうすると、本願発明１（審決注：本願発明）は、引用発明１及び２（審決注：引用文献１及び２に記載された発明）から当業者が容易に想到することができたものである。 
（略）
　　　　　　　　　　　　　　＜引用文献等一覧＞
　１．特表２０１３−５０４４６２号公報
　２．特開平４−３６１０５２号公報
第４　当審拒絶理由についての検討
１．サポート要件について
　当審拒絶理由の「理由１（サポート要件）」の「（２）」について検討する。
　上記「理由１（サポート要件）」の「（２）」で指摘した請求項１及び１１の「それぞれの重なり合うプリントヘッドまたは重なり合う位置に割り送りされる１または複数のプリントヘッドは、プリントヘッドの重なり合う領域におけるそれぞれの非ブランクピクセルへの寄与を１回の放出で印刷し、」を含む部分の記載は、平成３１年２月２７日付けの手続補正書による手続補正によって「それぞれの重なり合うプリントヘッドまたは重なり合う位置に割り送りされる１または複数のプリントヘッドは、プリントヘッドの重なり合う領域におけるそれぞれの非ブランクピクセルへの寄与を、１または複数のプリントヘッドの重なり合う領域に印刷されるピクセルの所定の容積の大きさおよび１または複数のプリントヘッドの重なり合う領域内のそれぞれの非ブランクピクセルの位置の両方に依存している所定の非線形フェーディング関数に基づいて、１回の放出で印刷する」（以下「補正後の記載」という。）と補正された。
　当該補正後の記載は、依然として、「重なり合う位置に割り送りされる１または複数のプリントヘッド」の場合にも、プリントヘッドの重なり合う領域におけるそれぞれの非ブランクピクセルへの寄与を１回の放出で印刷する、すなわち、重なり合う領域においてプリントヘッドが印刷液滴を１回のみ放出することにより印刷することを意味すると解される。
　一方、明細書の発明の詳細な説明には、段落【００２０】に「プリントヘッドを１回通過させて印刷を行うか、互いに近くに配置された複数の（交互に配置された）プリントヘッドから必要なピクセルの印刷を行うかによらず、または、同じプリントヘッドまたは異なるプリントヘッドの複数回の通過からピクセルを印刷する場合に、同様の課題が生じ、同じ解決策を使用することができる。プリントヘッドは、複数回割り送られてもよい。」と記載されるとともに、段落【００４０】に「変形例（図示せず）において、図５のようなたった１個のモジュールは、印刷物の必要な全体的な幅を生成するために、必要な数の帯状部分の印刷を与えるように、印刷物の移動方向を横切る方向に基材を複数回通過させるように割り送られる。この場合に、隣接する割り送られた位置の重なり合いは、ある帯状部分と別の帯状部分とのステッチングを可能にするために、図５のモジュール間の重なり合いと同様に与えられる。」と記載されている。
　そして、これらの記載によると、前者の記載の「同じプリントヘッドまたは異なるプリントヘッドの複数回の通過からピクセルを印刷する場合」や、後者の記載の「１個のモジュールは……、印刷物の移動方向を横切る方向に基材を複数回通過させるように割り送られる」場合には、プリントヘッド（モジュール）は重なり合う領域を複数回通過しており、重なり合う領域を通過するごとに印刷が行われる、すなわち印刷液滴を複数回放出するものと認められる。
　そうすると、明細書に記載されたプリントヘッド（モジュール）は重なり合う領域において印刷液滴を複数回放出するものであって、明細書には「重なり合う位置に割り送りされる１または複数のプリントヘッド」が「プリントヘッドの重なり合う領域におけるそれぞれの非ブランクピクセルへの寄与」を「１回の放出で印刷」することは記載されていない。
　また、技術常識に鑑みても、上記明細書の記載に、これらの事項が可能であることを根拠づけるものはない。
　よって、請求項１及び１１に係る発明、並びに、請求項１又は１１を引用する請求項２ないし１０及び１２ないし１９に係る発明は、発明の詳細な説明に記載したものでない。
２．進歩性について
　当審拒絶理由の「理由３（進歩性）」について検討する。
（１）引用例
ア．引用例１
　当審拒絶理由に引用された、本件出願の出願日前に頒布された刊行物である特表２０１３−５０４４６２号公報（以下「引用例１」という。）には、図面と共に次の事項が記載されている（下線は当審で付した。以下同じ。）。
（ア）「【請求項１】
　
画像を形成するために、
インク組成物を基材上に堆積させる
　前記基材に対して前記画像を固定する工程
を含み、
　前記
インクは、静電印刷ヘッドを用いて堆積され
　
前記静電印刷ヘッドは、分散媒流体中に分散させた帯電可能なマーキング粒子を、印加電界を用いて、最初に濃縮し、その後に噴出させ、
　前記画像の固定を行う前に、すべてのインク組成物を前記基材上に堆積させる、
基材上に画像を形成する方法。
（イ）「【００３１】
　図１は、この従来技術中に記載されている型の
静電印刷ヘッド１の先端部領域
それぞれの噴出垂直部の間には、チークとも呼ばれる壁３が存在し、これはそれぞれの噴出セルの境界を定義する。それぞれのセル中で、インクは噴出垂直部２の両側に１つずつある２つのチャネル４中を流れ、
（ウ）「【００３５】
　稼動中、基材を接地（０Ｖ）に保ち、中間電極１０と基材との間に電圧ＶIEをかけることが通例である。
噴出垂直部２およびチーク３上の中間電極１０と電極７との間にさらなる電圧差Ｖ
Ｂ
をかけて、これらの電極の電位差がＶ
ＩＥ
＋Ｖ
Ｂ
となるようにする
Ｖ
Ｂ
の大きさは、粒子を濃縮する噴出位置６で電界が生じるが粒子を噴出させないように選択する
濃縮された粒子を噴出させるためには、噴出垂直部２と中間電極１０との間の電圧差がＶ
Ｂ
＋Ｖ
Ｐ
であるように、振幅Ｖ
Ｐ
のさらなる電圧パルスを噴出垂直部２にかける
噴出は、電圧パルスが持続している間中続く
【００３６】
　この型の静電プリンタの利点の１つは、
電圧パルスの持続期間または振幅のどちらかを変調させることによってグレースケール印刷を達成できる
電圧パルスは、個々のパルスの振幅がビットマップデータから誘導されるように、もしくはパルスの持続期間がビットマップデータから誘導されるように、または両技法の組合せを使用して、発生させ得る
（エ）「【００３９】
　図１〜３に示した型の
多数のセル５を
並べて製作することによって、任意の数のイジェクタを含む印刷ヘッドを
構築することができる
制御コンピュータが、そのメモリ中に記憶された画像データ（ビットマップ化されたピクセル値）を、それぞれのチャネルに個別に供給される電圧波形（一般的にはデジタル方形波）へと変換する
印刷ヘッド１を基材に対して制御可能な様式で動かすことによって、広い面積の画像を基材上に印刷することができる
（オ）「【００５９】
　それぞれの印刷ヘッドは、１００ｍｍの幅であり、１６８ミクロンのイジェクタ間隔であり、
基材を所定の印刷ヘッドの下に４回通すことで
印刷された画像の単一の色分解が作成され、それぞれの通しが以前の通しから
のオフセットとなるようにした
（カ）図２からは、「
チャネル４に電極７が設けられる
　そうすると、引用例１には、次の発明（以下「引用発明１」という。）が記載されているものと認められる。
「インクは、画像を形成するために、静電印刷ヘッドを用いて基材上に堆積され、
　前記静電印刷ヘッドは、分散媒流体中に分散させた帯電可能なマーキング粒子を、印加電界を用いて、最初に濃縮し、その後に噴出させ、
　静電印刷ヘッドの先端部領域の噴出垂直部の間には、チークとも呼ばれる壁が存在し、これはそれぞれの噴出セルの境界を定義し、それぞれのセル中で、インクは噴出垂直部の両側に１つずつある２つのチャネル中を流れ、
　チャネルに電極が設けられ、
　噴出垂直部およびチーク上の中間電極と電極との間にさらなる電圧差ＶＢをかけて、これらの電極の電位差がＶＩＥ＋ＶＢとなるようにし、ＶＢの大きさは、粒子を濃縮する噴出位置で電界が生じるが粒子を噴出させないように選択し、
　濃縮された粒子を噴出させるためには、噴出垂直部と中間電極との間の電圧差がＶＢ＋ＶＰであるように、振幅ＶＰのさらなる電圧パルスを噴出垂直部にかけ、噴出は、電圧パルスが持続している間中続き、
　電圧パルスの持続期間または振幅のどちらかを変調させることによってグレースケール印刷を達成でき、電圧パルスは、個々のパルスの振幅がビットマップデータから誘導されるように、もしくはパルスの持続期間がビットマップデータから誘導されるように、または両技法の組合せを使用して、発生させ得、
　多数のセルを並べて製作することによって、任意の数のイジェクタを含む印刷ヘッドを構築することができ、制御コンピュータが、そのメモリ中に記憶された画像データ（ビットマップ化されたピクセル値）を、それぞれのチャネルに個別に供給される電圧波形（一般的にはデジタル方形波）へと変換し、印刷ヘッドを基材に対して制御可能な様式で動かすことによって、広い面積の画像を基材上に印刷することができ、
　基材を所定の印刷ヘッドの下に４回通すことで印刷された画像の単一の色分解が作成され、それぞれの通しが以前の通しからオフセットとなるようにした
基材上に画像を形成する方法。」
イ．引用例２
　当審拒絶理由に引用された、本件出願の出願日前に頒布された刊行物である特開平４−３６１０５２号公報（以下「引用例２」という。）には、図面と共に次の事項が記載されている。
（ア）「【請求項１】　
被記録媒体にインク滴を重ねて着弾させ、その個数によって各画素の面積を制御して被記録画像の階調を表現するインクジェット記録方法において、複数の吐出口が列状に配設された記録ヘッドを主走査しながら第１の画像領域を記録し、副走査後の前記記録ヘッドが再度主走査しながら第２の画像領域を記録するときに
、前記第１の画像領域と前記第２の画像領域とが１部重畳するように前記記録ヘッドを副走査し、当該重畳する画像領域を形成する前記各画素の面積は、前記第１の画像領域の記録時に着弾する前記インク滴の個数と前記第２の画像領域の記録時に着弾する前記インク滴の個数との和によって制御する
インクジェット記録方法。
（イ）「【００１３】［実施例１］図１７は、本発明の一実施例に係るインクジェット記録装置の概略斜視図である。図１７において、１は
１２８個のインク吐出口を
配設した記録ヘッドであり、各吐出口にはこれに連通する液路に吐出エネルギーを発生するための電気熱変換体を具える
気変換体は印加される電気パルスに応じて熱を発生し、これによりインク中に膜沸騰を生じさせ、この膜沸騰による気泡の成長に伴なって上記吐出口からインクが吐出される
（ウ）「【００１７】図１８は、図１７に示した装置における制御系回路の概略構成を示す。ここで、２０１は吐出タイミング等の装置全体の制御を司るメインコントローラであり、例えばＣＰＵ（中央演算処理ユニット），プログラム用ＲＯＭ（リードオンリメモリ）および作業用ＲＡＭ（ランダムアクセスメモリ）等を内蔵する１チップマイクロプロセッサ等が通常用いられる。メインコントローラ２０１は各画素の濃度を示す画像データ信号をホストコンピュータ２０３から受け取り、１フレーム単位でバッファ用のフレームメモリ２０５に格納する。そして画像記録時（インク吐出時）には、メインコントローラ２０１は第１のモータドライバ２０７を通じてキャリッジ送りモータ２０９の駆動を制御し、かつ第２のモータドライバ２１１を通じて紙送りモータ２１３の駆動を制御する。これと共に、
フレームメモリ２０５から読み出した画像データを基に、本システム（記録装置）に応じた階調データに変換し、
これにより記録紙１７２に階調性画像記録を行なう
（エ）「【００２０】記録紙に記録を行なう際には、まず第１主走査時においてＮｏ．１〜Ｎｏ．１２８の吐出口を用いて記録するが、このとき吐出口Ｎｏ．１２６，ＮＯ．１２７，Ｎｏ．１２８から吐出させるインク滴の個数を図２に示すようにそれぞれ×６／８，×４／８，×２／８個として第１の画像領域を記録する。
【００２１】次に、図１に示すように吐出口Ｎｏ．１２６の位置に吐出口Ｎｏ．１がきて３つの吐出口Ｎｏ．１，Ｎｏ．２，Ｎｏ．３が第１の画像領域と重複するように記録紙を１２５画素分上方へ送る（本図では便宜上記録ヘッド１が下方へ相対的に移動したことになっている）。
【００２２】このような副走査が終了した状態で、第２主走査を行ない第２の画像領域を記録するに際して、吐出口Ｎｏ．１〜Ｎｏ．３から吐出させるインク滴の個数を図２に示すようにそれぞれ×２／８、×４／８、×６／８個とし、吐出口Ｎｏ．１２６〜Ｎｏ．１２８から吐出させるインク滴の個数を×６／８，×４／８，×２／８個として画像の記録を行なう。このようにして記録した画像の重畳部分の状態を図３に示す。
【００２３】以下、同様にして画像領域記録を繰り返し、全画面にわたって画像を形成する。画像の最下端においては、吐出口Ｎｏ．１２６，Ｎｏ．１２７，Ｎｏ．１２８から吐出させるインク滴の個数は吐出口Ｎｏ．４〜Ｎｏ．１２５から吐出させるインク滴の個数と同数として記録することにより画像端を形成する。
【００２４】なお、以上の説明においては、記録画像の画素は全て同一数のインク滴により形成されるものとして説明したが、実際の画像の記録に際しては、
画像データに従って各画素を形成するインク滴の数は各画素毎に異なっており
（オ）上記「（イ）」の「１は１２８個のインク吐出口を１６個／ｍｍの密度で配設した記録ヘッドであり」との記載から、「インク吐出口」は「
複数
（カ）上記「（エ）」では「第１主走査時において……第１の画像領域を記録」し、「吐出口Ｎｏ．１２６の位置に吐出口Ｎｏ．１がきて３つの吐出口Ｎｏ．１，Ｎｏ．２，Ｎｏ．３が第１の画像領域と重複するように記録紙を１２５画素分上方へ送」り、「このような副走査が終了した状態で、第２主走査を行ない第２の画像領域を記録する」ところ、上記「（エ）」において記録される「第１の画像領域」及び「第２の画像領域」は上記「（ア）」における「
重畳する画像領域
　また、上記「（エ）」では「第１主走査時」において「吐出口Ｎｏ．１２６，ＮＯ．１２７，Ｎｏ．１２８から吐出させるインク滴の個数を図２に示すようにそれぞれ×６／８，×４／８，×２／８個とし」、「第２主走査を行ない第２の画像領域を記録するに際して、吐出口Ｎｏ．１〜Ｎｏ．３から吐出させるインク滴の個数を図２に示すようにそれぞれ×２／８、×４／８、×６／８個とし」ているところ、「×６／８，×４／８，×２／８個」や「×２／８、×４／８、×６／８個」というインク滴の個数の変化は一定の割合であるといえ、「各吐出口から吐出されるインク滴の数を示した図」（【図面の簡単な説明】）である図２からも各吐出口から吐出されるインク滴の数を結んだ線は直線で表され一定の割合ですることが読み取れるから、「
各吐出口から吐出させるインク滴の個数を吐出口の位置に応じて一定の割合で変化させて記録する
　そうすると、引用例２には、次の発明（以下「引用発明２」という。）が記載されているものと認められる。
「被記録媒体にインク滴を重ねて着弾させ、その個数によって各画素の面積を制御して被記録画像の階調を表現するインクジェット記録方法において、複数の吐出口が列状に配設された記録ヘッドを主走査しながら第１の画像領域を記録し、副走査後の前記記録ヘッドが再度主走査しながら第２の画像領域を記録するときに、前記第１の画像領域と前記第２の画像領域とが１部重畳するように前記記録ヘッドを副走査し、当該重畳する画像領域を形成する前記各画素の面積は、前記第１の画像領域の記録時に着弾する前記インク滴の個数と前記第２の画像領域の記録時に着弾する前記インク滴の個数との和によって制御するインクジェット記録方法であって、
　複数のインク吐出口を配設した記録ヘッドであり、各吐出口にはこれに連通する液路に吐出エネルギーを発生するための電気熱変換体を具え、電気変換体は印加される電気パルスに応じて熱を発生し、これによりインク中に膜沸騰を生じさせ、この膜沸騰による気泡の成長に伴なって上記吐出口からインクが吐出され、
　フレームメモリから読み出した画像データを基に、記録装置に応じた階調データに変換し、記録ヘッドの吐出制御を行ない、これにより記録紙に階調性画像記録を行ない、
　重畳する画像領域において、各吐出口から吐出させるインク滴の個数を吐出口の位置に応じて一定の割合で変化させて記録し、
　画像データに従って各画素を形成するインク滴の数は各画素毎に異なっている
インクジェット記録方法。」
ウ．引用例３
　本件出願の出願日前に頒布された刊行物である特開２００７−１７６１１２号公報（以下「引用例３」という。）には、図面と共に次の事項が記載されている。
（ア）「【００３０】
　次に、図１に基づき、この第１の実施形態に用いられるラインヘッド１０およびこのラインヘッド１０から吐出されるインク滴の着弾位置を説明する。
ラインヘッド１０は、インクを吐出する複数のノズルを一定の間隔（基準ノズル間隔）で高密度に配列したノズル列Ｎ１，Ｎ２を有するヘッドチップｈ１，ｈ２をノズルの配列方向
に沿ってつなぐことにより長尺化した
（イ）「【００６０】
　また、この実施形態では、図８の実線および破線にて示される曲線のように、
記録デューティの低下開始位置からヘッドチップｈ１，ｈ２の各ノズル列Ｎ１，Ｎ２の端部に亘って、徐々に記録デューティを低下させるようにしている
これにより、各ヘッドチップｈ１，ｈ２によって形成される画像のつなぎ目をより目立ちにくくすることが可能となる
　上記のように各ヘッドチップｈ１，ｈ２のつなぎ部ＯＰ２における各ノズルの記録デューティを減少させるために、この第３の実施形態では、図５に示す画像処理部Ｊ１０００によって、元画像の濃度を表す多値の信号を変更する。すなわち、８ｂｉｔの信号で表される２５６階調の元画像データを図８に示す曲線に応じて減少させる処理を施す。その結果、ハーフトーニング処理Ｊ１００５、ドット配置パターン化処理Ｊ１００７などを経て、ドットを形成するか否かを表す１ビット（２値）の信号に変換された記録データの記
録デューティは、
曲線で減少する
　そうすると、引用例３には、次の事項（以下「引用例３記載事項」という。）が記載されているものと認められる。
「インクを吐出する複数のノズルを一定の間隔（基準ノズル間隔）で高密度に配列したノズル列Ｎ１，Ｎ２を有するヘッドチップｈ１，ｈ２をノズルの配列方向に沿ってつなぐことにより長尺化したラインヘッドにおいて、
記録デューティの低下開始位置からヘッドチップｈ１，ｈ２の各ノズル列Ｎ１，Ｎ２の端部に亘って、徐々に記録デューティを低下させるようにしており、これにより、各ヘッドチップｈ１，ｈ２によって形成される画像のつなぎ目をより目立ちにくくすることが可能となり、
記録デューティは曲線で減少する点。」
エ．引用例４
　本件出願の出願日前に頒布された刊行物である国際公開第２００９／１５０９４５号（以下「引用例４」という。）には、図面と共に次の事項が記載されている。
（ア）「［００４７］　制御部１０１は画像形成の各種制御を行う制御部であり、本実施形態では特に、
複数の記録素子が一方向
に配列されている短尺記録素子列が、互いに隣接する端部において記録素子が重なり領域を有する状態で前記一方向に複数配置されて長尺記録素子列として構成されたラインヘッドを用いて画像記録する際に、
（イ）「［００８７］　振り分け処理部１３０では、まず、
重なり領域における各短尺記録素子列に対して、位置に応じて割り振られた割り当て比率を決定する
［００８８］　
この割り当て比率としては、
短尺ヘッド１５０Ａと短尺ヘッド１５０Ｂとの重なり領域
重なり領域でない領域
に接している側を割り当て比率１．０（１００％）、接していない側（端部）を割り当て比率０．０（０％）となるように、その間の重なり領域で値を徐々に変更し、それぞれの側の比率を足して１．０（１００％）となるように定めたものである
この割り当て比率とは、重なり領域において端部でない側から端部に向かって１から０に徐々に変化する特性である
この特性として、
以上の条件を満たす範囲内で、曲線とすることも可能である
　そうすると、引用例４には、次の事項（以下「引用例４記載事項」という。）が記載されているものと認められる。
「複数の記録素子が一方向に配列されている短尺記録素子列が、互いに隣接する端部において記録素子が重なり領域を有する状態で前記一方向に複数配置されて長尺記録素子列として構成されたラインヘッドを用いて画像記録する際に、
重なり領域における各短尺記録素子列に対して、位置に応じて割り振られた割り当て比率を決定し、
この割り当て比率としては、短尺ヘッド１５０Ａと短尺ヘッド１５０Ｂとの重なり領域で、重なり領域でない領域に接している側を割り当て比率１．０（１００％）、接していない側（端部）を割り当て比率０．０（０％）となるように、その間の重なり領域で値を徐々に変更し、それぞれの側の比率を足して１．０（１００％）となるように定めたものであって、この割り当て比率とは、重なり領域において端部でない側から端部に向かって１から０に徐々に変化する特性であり、この特性として、以上の条件を満たす範囲内で、曲線とすることも可能である点。」
オ．引用例５
　本件出願の出願日前に頒布された刊行物である特開２０１０−２７４４８５号公報（以下「引用例５」という。）には、図面と共に次の事項が記載されている。
（ア）「【請求項１】
（Ａ）階調値に基づく補正用パターンを形成することであって、
　媒体に対してノズル列に沿う方向に交差する第１方向に相対移動して流体を噴射する第１噴射動作と、
　前記媒体を前記ノズル列に沿う第２方向に相対移動させる搬送動作と、
　前記第１方向に相対移動して前記流体を噴射する第２噴射動作と、
を有し、
　前記
第１噴射動作と前記第２噴射動作において
一部重複するノズル列のノズル同士が分担して共通のドットラインを形成して
（Ｂ）前記補正用パターンの濃度を前記第１方向に複数並ぶ画素からなる画素列毎に測定することと、
（Ｃ）測定した前記画素列毎の濃度に基づいて、前記階調値を補正するための補正値を前記画素列毎に求めることと、
（Ｄ）前記ノズル列が設けられた流体噴射装置の記憶部に前記補正値を記憶することと、
を含む補正値設定方法。」
（イ）「【０１０６】
　図２２は、
ノズル列の重複領域について合計のノズル使用比率が１００％を超えるときのドットの形成
　そして、図に示すようにドットを形成することにより、各画素領域には必ずいずれかのパスのノズルによってドットが形成され、かつ、いくつかの画素領域には両方のパスにおけるノズルによってドットが形成されるようになっている。
（ウ）「【０１０９】
　図２４は、重複領域について合計のノズル使用比率が１００％を超えるときのパス１とパス２のノズル使用比率を説明する図である。図に示すようなノズル使用比率にすることで、重複領域について合計のノズル使用比率が１００％を超えるようにすることができる。そして、重複領域における合計のノズル使用比率が１００％を超えるようにするために、２つのパスによってほぼ同じ箇所に重複してドットが形成されるようにすることで、ドットの位置変動に対して明度変化を少なくすることができる。このようにして、重複領域における合計のノズル使用比率が１００％を超えるようにするために、２つのパスによってほぼ同じ箇所に重複してドットが形成されるようなオーバーラップマスクを使用する必要がある。」
（エ）上記「（イ）及び（ウ）」を踏まえると、図２４からは「
パス１とパス２のノズル使用比率が曲線である
　そうすると、引用例５には、次の事項（以下「引用例５記載事項」という。）が記載されているものと認められる。
「第１噴射動作と前記第２噴射動作において一部重複するノズル列のノズル同士が分担して共通のドットラインを形成し、ノズル列の重複領域について合計のノズル使用比率が１００％を超えるときのドットの形成において、パス１とパス２のノズル使用比率が曲線である点。」
（２）対比
　本願発明と引用発明１とを対比する。
ア．後者の「インク」は前者の「印刷液滴」に相当し、以下同様に、「静電印刷ヘッド」は「プリントヘッド」に、「チャネル」は「放出チャンネル」に、「分散媒流体」は「印刷流体」に、「マーキング粒子」は「粒状物」に、「噴出」は「放出」に、「電圧パルス」及び「パルス」は「電圧パルス」に、それぞれ相当する。
イ．後者の「制御コンピュータが、そのメモリ中に記憶された画像データ（ビットマップ化されたピクセル値）を、それぞれのチャネルに個別に供給される電圧波形（一般的にはデジタル方形波）へと変換し、印刷ヘッドを基材に対して制御可能な様式で動かすことによって、広い面積の画像を基材上に印刷することができる基材上に画像を形成する方法」において、「画像データ（ビットマップ化されたピクセル値）」に基づいて「広い面積の画像」が形成されることは明らかであるところ、後者の当該「広い面積の画像」は、前者の「１列に多くのピクセルを有する二次元ビットマップ化された画像」に相当するといえ、これを踏まえると、後者の「制御コンピュータが、そのメモリ中に記憶された画像データ（ビットマップ化されたピクセル値）を、それぞれのチャネルに個別に供給される電圧波形（一般的にはデジタル方形波）へと変換し、印刷ヘッドを基材に対して制御可能な様式で動かすことによって、広い面積の画像を基材上に印刷することができる基材上に画像を形成する方法」と、前者の「複数の重なり合うプリントヘッド（３００Ａ、３００Ｂ）、重なり合う位置に割り送りされる１つのプリントヘッドまたは重なり合う位置に割り送りされる複数のプリントヘッドを用いて印刷するための、１列に多くのピクセルを有する二次元ビットマップ化された画像を印刷する方法」とは、「プリントヘッドを用いて印刷するための、１列に多くのピクセルを有する二次元ビットマップ化された画像を印刷する方法」との概念で共通する。
ウ．後者においては「静電印刷ヘッドの先端部領域の噴出垂直部の間には、チークとも呼ばれる壁が存在し、これはそれぞれの噴出セルの境界を定義し、それぞれのセル中で、インクは噴出垂直部の両側に１つずつある２つのチャネル中を流れ」るから、「セル」中にはそれぞれ「２つのチャネル」が存している。そして、「多数のセルを並べて製作することによって、任意の数のイジェクタを含む印刷ヘッドを構築することができ」るのだから、構築された「印刷ヘッド」においては「多数のセル」が並んでおり、同様に「セル」中の「チャネル」も並んでいることは明らかであって、後者の「静電印刷ヘッド」はチャネルの列を有するといえる。そして、後者の「静電印刷ヘッド」がチャネルの列を有する点は、前者の「プリントヘッドは、放出チャンネル（３０１）の列を有し」の点に相当する。
エ．上記「ウ．」を踏まえると後者において「チャネル」が複数存在することは明らかであるから、後者の「チャネルに電極が設けられ」は、前者の「それぞれの放出チャンネルは、関連する放出電極（７）を有し」に相当する。
　後者においては「電圧パルスの持続期間または振幅のどちらかを変調させることによってグレースケール印刷を達成でき、電圧パルスは、個々のパルスの振幅がビットマップデータから誘導されるように、もしくはパルスの持続期間がビットマップデータから誘導されるように、または両技法の組合せを使用して、発生させ得」るから、後者は「電圧パルスの持続期間」及び「電圧パルスの振幅」の「組合せ」を使用して「電圧パルス」を発生させることにより、「グレースケール印刷」を行うものである。
　ここで、「グレースケール」とは「白黒写真のように、白から黒までの階調で画像を表示すること。階調数を多くするほど、明暗の変化がなめらかに表現される。たとえば、１６階調よりも２５６階調の方がなめらか。黒インクのみを使って印刷するプリンターでは、画像などをグレースケールで出力する。」（ＡＳＣＩＩ．ｊｐデジタル用語事典、ＵＲＬ，ｈｔｔｐ：／／ｙｏｕｇｏ．ａｓｃｉｉ．ｊｐ／ｃａｌｔａｒ／グレースケール）との意味であるから、「グレースケール印刷」は白から黒までの複数の階調による印刷であるといえる。
　また、後者においては、「粒子を濃縮する噴出位置で電界が生じるが粒子を噴出させないように選択し」た「電圧差Ｖ」をかけて、「電圧パルスの持続期間」及び「電圧パルスの振幅」の「組合せ」を使用して「電圧パルス」を発生させるところ、液滴の大きさを電圧波形によって制御することが周知技術である（例えば、引用文献１の段落【０００９】参照）ことを踏まえると、引用発明１においても「粒子を濃縮する噴出位置で電界が生じるが粒子を噴出させない」状態とされた「粒子」は階調に応じた液滴の大きさに制御されると解される。
　してみると、後者の「チャネルに電極が設けられ、噴出垂直部およびチーク上の中間電極と電極との間にさらなる電圧差ＶＢをかけて、これらの電極の電位差がＶＩＥ＋ＶＢとなるようにし、ＶＢの大きさは、粒子を濃縮する噴出位置で電界が生じるが粒子を噴出させないように選択し」、「電圧パルスの持続期間または振幅のどちらかを変調させることによってグレースケール印刷を達成でき、電圧パルスは、個々のパルスの振幅がビットマップデータから誘導されるように、もしくはパルスの持続期間がビットマップデータから誘導されるように、または両技法の組合せを使用して、発生させ得」と、前者の「それぞれの放出チャンネルは、関連する放出電極（７）を有し、複数の重なり合うプリントヘッド、重なり合う位置に割り送りされる１つのプリントヘッドまたは重なり合う位置に割り送りされる複数のプリントヘッドの選択された放出チャンネルから印刷液滴として放出されるいくつかの所定容積のうちの１つの容積である帯電した粒状物の濃縮部が生じるように、この電極に対し、使用時に、印刷流体の本体内に作られる粒状物の濃縮部を生じるのに十分な電圧が加えられ」とは、「それぞれの放出チャンネルは、関連する放出電極を有し、プリントヘッドの選択された放出チャンネルから印刷液滴として放出されるいくつかの所定容積のうちの１つの容積である帯電した粒状物の濃縮部が生じるように、この電極に対し、使用時に、印刷流体の本体内に作られる粒状物の濃縮部を生じるのに十分な電圧が加えられ」との概念で共通する。
オ．後者が「チャネルに電極が設けられ、噴出垂直部およびチーク上の中間電極と電極との間にさらなる電圧差ＶＢをかけ」るものであることを踏まえると、後者の「電圧パルスの持続期間または振幅のどちらかを変調させることによってグレースケール印刷を達成でき、電圧パルスは、個々のパルスの振幅がビットマップデータから誘導されるように、もしくはパルスの持続期間がビットマップデータから誘導されるように、または両技法の組合せを使用して、発生させ得」は、前者の「それぞれの画像ピクセルのビット値によって決定されるようなそれぞれの所定の振幅および持続時間の電圧パルスが、選択された放出チャンネルの電極に加えられ」に相当する。
　そうすると、両者は
「プリントヘッドを用いて印刷するための、１列に多くのピクセルを有する二次元ビットマップ化された画像を印刷する方法であって、そのプリントヘッドまたはそれぞれのプリントヘッドは、放出チャンネルの列を有し、
　それぞれの放出チャンネルは、関連する放出電極を有し、プリントヘッドの選択された放出チャンネルから印刷液滴として放出されるいくつかの所定容積のうちの１つの容積である帯電した粒状物の濃縮部が生じるように、この電極に対し、使用時に、印刷流体の本体内に作られる粒状物の濃縮部を生じるのに十分な電圧が加えられ、
　それぞれの画像ピクセルのビット値によって決定されるようなそれぞれの所定の振幅および持続時間の電圧パルスが、選択された放出チャンネルの電極に加えられる、
方法。」
の点で一致し、以下の点で相違する。
［相違点１］
　前者の「プリントヘッド」が「複数の重なり合うプリントヘッド（３００Ａ、３００Ｂ）、重なり合う位置に割り送りされる１つのプリントヘッドまたは重なり合う位置に割り送りされる複数のプリントヘッド」であるのに対して、後者の静電印刷ヘッドはどのようなものか明らかでない点。
［相違点２］
　前者が「それぞれの画像の列について、重なり合う放出チャンネル（３０１）によって印刷されるピクセルを作成するために、複数の重なり合うプリントヘッド、重なり合う位置に割り送りされる１つのプリントヘッドまたは重なり合う位置に割り送りされる複数のプリントヘッドに加えられる電圧パルスの値が、プリントヘッド（３００Ａ、３００Ｂ）の重なり合う領域内のピクセルの位置に依存して、また、ピクセルの所定の容積の大きさに依存して、それぞれのピクセルのための放出体積を可変的に調整可能となるように、可変的に調整され、
　それぞれの重なり合うプリントヘッドまたは重なり合う位置に割り送りされる１または複数のプリントヘッドは、プリントヘッドの重なり合う領域におけるそれぞれの非ブランクピクセルへの寄与を、１または複数のプリントヘッドの重なり合う領域に印刷されるピクセルの所定の容積の大きさおよび１または複数のプリントヘッドの重なり合う領域内のそれぞれの非ブランクピクセルの位置の両方に依存している所定の非線形フェーディング関数に基づいて、１回の放出で印刷する」のに対して、後者はそのようなものでない点。
（３）検討
　上記相違点について検討する。
ア．相違点１について
　引用発明２の「記録ヘッド」は本願発明の「プリントヘッド」に相当し、引用発明２の「前記第１の画像領域と前記第２の画像領域とが１部重畳するように前記記録ヘッドを副走査」することは、本願発明の「プリントヘッド」が「重なり合う位置に割り送りされる」ことに相当する。
　引用発明１及び２はともに画像形成方法の分野に属する技術である。また、引用発明２は「従来のインクジェット記録方法においては、１主走査で記録される画像領域と次の主走査で記録される画像領域の境の部分すなわち「つなぎ目」付近の画像品質が諸々の原因により劣化してしまう」（段落【０００６】）点を解決することを課題とする発明であるところ、当該課題は所定範囲の画像を印刷し、当該所定の範囲に一部重畳して次の範囲の画像を印刷するような画像形成における周知の課題である。そして、引用発明１は「基材を所定の印刷ヘッドの下に複数回通すことで印刷された画像の単一の色分解が作成され、それぞれの通しが以前の通しからオフセットとなるようにした」もの、すなわち、所定範囲の画像を印刷し、当該所定の範囲に一部重畳して次の範囲の画像を印刷するものであるから、当該周知の課題は引用発明１にも内在する課題である。
　そうすると、引用発明１に引用発明２を適用して、本願発明の相違点１に係る発明特定事項とすることは、当業者が容易になし得たことである。
イ．相違点２について
　引用発明２の「画素」は本願発明の「ピクセル」に相当し、同様に、「吐出口」は「放出チャンネル」に、「重畳する画像領域」は「重なり合う領域」にそれぞれ相当する。
　引用発明２は「複数の吐出口が列状に配設された記録ヘッドを主走査しながら第１の画像領域を記録し、副走査後の前記記録ヘッドが再度主走査しながら第２の画像領域を記録するときに、前記第１の画像領域と前記第２の画像領域とが１部重畳するように前記記録ヘッドを副走査」するものであって、「前記第１の画像領域と前記第２の画像領域とが１部重畳する」のだから、「記録ヘッドを主走査しながら第１の画像領域を記録」する際と「記録ヘッドが再度主走査しながら第２の画像領域を記録する」際とで「記録ヘッド」及びその「吐出口」が「１部重畳する」ことは明らかである。
　そうすると、引用発明２の「複数の吐出口が列状に配設された記録ヘッドを主走査しながら第１の画像領域を記録し、副走査後の前記記録ヘッドが再度主走査しながら第２の画像領域を記録する」は、本願発明の「それぞれの画像の列について、重なり合う放出チャンネルによって印刷されるピクセルを作成する」に相当する。
　引用発明２は「電気パルスに応じて熱を発生し、これによりインク中に膜沸騰を生じさせ、この膜沸騰による気泡の成長に伴なって上記吐出口からインクが吐出され」るものであるから、インク滴は電気パルスの値に応じて吐出されるといえる。
　また、引用発明２は、「重畳する画像領域において、各吐出口から吐出させるインク滴の個数を吐出口の位置に応じて一定の割合で変化させて記録」するところ、「吐出口の位置」が画素の位置に対応していることは明らかであるから、インク滴の個数を「吐出口の位置に応じて」変化させることは、インク滴の個数を「画素の位置に応じて」変化させることでもある。また、「各吐出口から吐出させるインク滴の個数」が変化すれば、「各吐出口から吐出させるインク滴」の体積も変化することは明らかである。
　また、引用発明２は、「フレームメモリから読み出した画像データを基に、記録装置に応じた階調データに変換し、記録ヘッドの吐出制御を行ない、これにより記録紙に階調性画像記録を行な」うものであって、「画像データに従って各画素を形成するインク滴の数は各画素毎に異なっている」から、「インク滴の数」は「階調データ」の「階調」に応じたものであると解することができ、引用発明２においては「階調データ」の「階調」に応じた体積のインク滴が吐出されるものと認められる。
　これらの点を踏まえると、引用発明２の「重畳する画像領域において、各吐出口から吐出させるインク滴の個数を吐出口の位置に応じて一定の割合で変化させて記録し」は、本願発明の「プリントヘッドに加えられる電圧パルスの値が、プリントヘッド（３００Ａ、３００Ｂ）の重なり合う領域内のピクセルの位置に依存して、……それぞれのピクセルのための放出体積を可変的に調整可能となるように、可変的に調整され」に相当し、引用発明２の「画像データに従って各画素を形成するインク滴の数は各画素毎に異なっている」は、本願発明の「プリントヘッドに加えられる電圧パルスの値が、……ピクセルの所定の容積の大きさに依存して、それぞれのピクセルのための放出体積を可変的に調整可能となるように、可変的に調整され」に相当する。
　そして、これらを総合すると、引用発明２は「プリントヘッドに加えられる電圧パルスの値が、プリントヘッドの重なり合う領域内のピクセルの位置に依存して、また、ピクセルの所定の容積の大きさに依存して、それぞれのピクセルのための放出体積を可変的に調整可能となるように、可変的に調整され」との事項を備えるものである。
　本願発明は「それぞれの重なり合うプリントヘッドまたは重なり合う位置に割り送りされる１または複数のプリントヘッドは、プリントヘッドの重なり合う領域におけるそれぞれの非ブランクピクセルへの寄与を、……１回の放出で印刷する」ことを発明特定事項とするものであるが、上記「１．」で検討したとおり、「重なり合う位置に割り送りされる１または複数のプリントヘッド」の場合には、「プリントヘッド」は「プリントヘッドの重なり合う領域におけるそれぞれの非ブランクピクセルへの寄与」を重なり合う領域を通過するごとに「１回の放出で印刷する」ものと解される。
　一方、引用発明２は「複数の吐出口が列状に配設された記録ヘッドを主走査しながら第１の画像領域を記録し、副走査後の前記記録ヘッドが再度主走査しながら第２の画像領域を記録する」ものであって、かつ、「前記第１の画像領域と前記第２の画像領域とが１部重畳するように前記記録ヘッドを副走査」するものであるから、「第１の画像領域と前記第２の画像領域とが１部重畳する」領域においては、最初の主走査で１部重畳する領域のうち第１の画像領域を記録し、次に副走査が行われ、再度の主走査で１部重畳する領域のうちで第２の画像領域を記録するものである。
　また、引用発明２は「重畳する画像領域において、各吐出口から吐出させるインク滴の個数を吐出口の位置に応じて一定の割合で変化させて記録」するから、「各吐出口から吐出させるインク滴の個数」すなわちインク滴の容積の総量は、「インク滴の個数」を単位として「吐出口の位置」（上述のとおり「画素の位置」に対応する。）から決定され、一定の割合で変化するものである。そうすると、引用発明２において「重畳する画像領域において、各吐出口から吐出させるインク滴の個数を吐出口の位置に応じて一定の割合で変化させて記録」する際の「各吐出口から吐出させるインク滴の個数」は、「インク滴の個数」を単位として「吐出口の位置」（すなわち「画素の位置」）から決定される関数であると解することができ、その関数は「インク滴の個数」が「一定の割合で変化する」するものであって、徐々に変化するすなわち「フェーディング」するものであるといえる。そうすると、引用発明２の当該関数と本願発明の「１または複数のプリントヘッドの重なり合う領域に印刷されるピクセルの所定の容積の大きさおよび１または複数のプリントヘッドの重なり合う領域内のそれぞれの非ブランクピクセルの位置の両方に依存している所定の非線形フェーディング関数」とは「１または複数のプリントヘッドの重なり合う領域に印刷されるピクセルの所定の容積の大きさおよび１または複数のプリントヘッドの重なり合う領域内のそれぞれの非ブランクピクセルの位置の両方に依存している所定のフェーディング関数」との概念で共通する。
　以上を総合すると、引用発明２の「重畳する画像領域において、各吐出口から吐出させるインク滴の個数を吐出口の位置に応じて一定の割合で変化させて記録し」及び「画像データに従って各画素を形成するインク滴の数は各画素毎に異なっている」と、本願発明の「それぞれの重なり合うプリントヘッドまたは重なり合う位置に割り送りされる１または複数のプリントヘッドは、プリントヘッドの重なり合う領域におけるそれぞれの非ブランクピクセルへの寄与を、１または複数のプリントヘッドの重なり合う領域に印刷されるピクセルの所定の容積の大きさおよび１または複数のプリントヘッドの重なり合う領域内のそれぞれの非ブランクピクセルの位置の両方に依存している所定の非線形フェーディング関数に基づいて、１回の放出で印刷する」とは、重なり合う位置に割り送りされる１または複数のプリントヘッドは、プリントヘッドの重なり合う領域におけるそれぞれの非ブランクピクセルへの寄与を、１または複数のプリントヘッドの重なり合う領域に印刷されるピクセルの所定の容積の大きさおよび１または複数のプリントヘッドの重なり合う領域内のそれぞれの非ブランクピクセルの位置の両方に依存している所定のフェーディング関数に基づいて、（重なり合う領域を通過するごとに）１回の放出で印刷する」との概念で共通する。
　上記ア．のとおり、引用発明１に引用発明２を適用することは、当業者が容易になし得たことである。
　また、重畳する画像領域において、プリントヘッドの重なり合う領域において吐出されるインク滴の量（本願発明における「非ブランクピクセルへの寄与」）を曲線で（即ち非線形に）変化させることは、例えば、引用例３記載事項ないし引用例５記載事項に示されるように本件出願の出願前に周知の技術（以下「周知技術」という。）であって、引用発明１に引用発明２を適用してプリントヘッドの重なり合う領域をインク滴の量を変化させて印刷する際に、その変化を当該周知技術のように非線形とすることは当業者が適宜なし得た設計的事項である。
　してみると、引用発明１に引用発明２及び周知技術を適用して、本願発明の相違点２に係る発明特定事項とすることは、当業者が容易になし得たことである。
ウ．小括
　相違点１及び２については上記「ア．及びイ．」のとおりであって、本願発明の発明特定事項の全体によって奏される効果も、引用発明１及び２並びに周知技術から当業者が予測し得る範囲内のものである。
　そうすると、本願発明は、引用発明１及び２並びに周知技術に基づいて当業者が容易に発明をすることができたものである。
第５　むすび
　以上のとおり、本件出願は、特許請求の範囲の請求項１ないし１９の記載が、特許法第３６条第６項第１号に規定する要件を満たしていない。
　また、本願発明は、引用発明１及び２並びに周知技術に基づいて当業者が容易に発明をすることができたものであるから、特許法第２９条第２項の規定により特許を受けることができない。
　よって、その余の理由について検討するまでもなく、本件出願は拒絶されるべきものであるから、結論のとおり審決する。